(57)【特許請求の範囲】
【請求項１】
耐火被覆材や耐火被覆板が取り付けられる鉄骨柱および／または鉄骨梁の隅部に並行して添設される略Ｌ字断面の金属製隅用アングル部材と、
前記隅用アングル部材間に直交して架設される断面が略平板状の架け渡し部と該架け渡し部の両端または片端にあって該隅用アングル部材を把持して固定される固定部とからなる金属製架設部材と、からなり、
前記架設部材の固定部は前記隅用アングル部材のアングル面の外側を囲繞する固定部本体と該固定部本体の両縁部または片縁部にあって該隅用アングル部材のアングル面の外側に該固定部本体が押し当てられた後に手で折り曲げられて該隅用アングル部材のアングル面の側縁であるアングル鍔部を把持する把持子とを具え、該固定部本体は延伸して該架設部材の架け渡し部に連設される、ことを特徴とする耐火被覆用軽量金属下地。
【請求項２】
前記架設部材の架け渡し部には雌型架け渡し部と雄型架け渡し部があり、
前記雌型架け渡し部はその長さ方向に沿った両側縁が略直角以下に内側に折り曲げられる一方、前記雄型架け渡し部は平板状であって、該雌型架け渡し部に該雄型架け渡し部が挿入されて摺動することにより、該架け渡し部の長さが調整可能である、ことを特徴とする請求項１に記載の耐火被覆用軽量金属下地。
【請求項３】
前記隅用アングル部材のアングル鍔部はアングル面との挟角が９０°以下となるように内側に折り曲げられてアングル鍔曲折部が形成され、該隅用アングル部材は所定の長さを有する第１の隅用アングル部材と該第１の隅用アングル部材と断面が相似形の所定の長さを有する第２の隅用アングル部材と、からなり、
前記第２の隅用アングル部材は前記第１の隅用アングル部材に挿入されて摺動することにより前記隅用アングル部材の全長が調整可能である、ことを特徴とする請求項１または請求項２に記載の耐火被覆用軽量金属下地。
【請求項４】
鉄骨柱と壁とが取り合う隅部に使用する前記隅用アングル部材のアングル鍔部は該壁に接する側のアングル鍔曲折部が不形成であって、
前記雌型架け渡し部および／または前記雄型架け渡し部が形成される一方の側とは異なる他方の側が前記固定部本体から平板状に延伸して該延伸部分が前記壁と前記隅用アングル部材との間に挟持されて前記架設部材が固定される、ことを特徴とする請求項２を引用する請求項３に記載の耐火被覆用軽量金属下地。
【請求項５】
鉄骨柱と壁とが取り合う隅部には略Ｌ字断面の軽量の壁固定アングルが該壁に固着され、該壁に固着される該壁固定アングルの一方のアングル面とは異なる他方のアングル面が平板状に延伸して前記雌型架け渡し部に挿入されて前記架設部材が固定される、ことを特徴とする請求項２を引用する請求項３に記載の耐火被覆用軽量金属下地。
【請求項６】
前記雌型架け渡し部の長さ方向に沿った両側縁の折り曲げられた挟角は略４５°であって、該雌型架け渡し部に挿入される前記雄型架け渡し部および前記壁固定アングルの他方の側の長さ方向に沿った両側縁は挟角が鈍角となるように内側に折り曲げられて両側縁を除く平板状の部分が該雌型架け渡し部の平板状の部分に重ね合わされる、ことを特徴とする請求項５に記載の耐火被覆用軽量金属下地。
【請求項７】
鉄骨柱に対する耐火被覆材の被り厚が確保され得る位置に合わせて、または鉄骨柱面の凸部よりも外側の位置に合わせて固定された略Ｌ字断面の足元固定アングルと前記隅用アングル部材とは、該隅用アングル部材のアングル面を囲繞して上下方向に摺動する隅用アングル・足元固定アングル挟持金物により挟持されて固定される、ことを特徴とする請求項１ないし請求項６のいずれかに記載の耐火被覆用軽量金属下地。
【請求項８】
Ｌ字断面の金属製頂部アングル部材が鉄骨柱の隅部に添設される前記隅用アングル部材間の頂部に架設されて掛着され、該頂部アングル部材の一方のアングル面は該隅用アングル部材のアングル面に重ね合わされ、該頂部アングル部材の他方のアングル面は上部に位置して鉄骨梁の隅部に添設される前記隅用アングル部材が載置され、
前記頂部アングル部材は鉄骨柱方向に出入する出入子を具え該出入子により鉄骨柱との離間距離が調整可能である、ことを特徴とする請求項１ないし請求項７のいずれかに記載の耐火被覆用軽量金属下地。
【請求項９】
前記掛着は前記頂部アングル部材の両端部近傍に位置する掛着子と該頂部アングル部材のアングル面とで前記隅用アングル部材のアングル面を挟持することにより行われ、
前記出入子は前記頂部アングル部材の他方のアングル面上に凸設された出入子貫入孔に掴持されて固定される、ことを特徴とする請求項８に記載の耐火被覆用軽量金属下地。
【請求項１０】
Ｈ形断面の鉄骨梁の隅部に添設される前記隅用アングル部材は該鉄骨梁のフランジから直接的または間接的に懸吊される梁用取付金物により支持され、該梁用取付金物は該フランジから懸吊されて下方に延伸する被懸吊部と該被懸吊部の延伸先に接続し該隅用アングル部材を固定する固定部とからなり、該固定部は該隅用アングル部材のアングル面の外側を囲繞する固定部本体と該固定部本体の両縁部または片縁部にあって折り曲げられて該隅用アングル部材のアングル面の側縁であるアングル鍔部を把持する把持子を具え、
前記Ｈ形断面の鉄骨梁の継ぎ手部分には前記梁用取付金物の固定部が上下に連接された梁用ダブル取付金物が該Ｈ形断面の鉄骨梁のフランジから直接的または間接的に懸吊され、該梁用ダブル取付金物により２本の前記隅用アングル部材が側面から見て段違いに支持されている、ことを特徴とする請求項１ないし請求項９のいずれかに記載の被覆用軽量金属下地。
【請求項１１】
前記梁用ダブル取付金物の下部に位置する垂直方向の固定部の把持子はその両縁部が予め下方が開放されたレの字形に切り欠きされ略直角に内側に折り曲げられて隅用アングル部材のアングル鍔部を把持する、ことを特徴とする請求項１０に記載の耐火被覆用軽量金属下地。
【請求項１２】
前記梁用取付金物の被懸吊部および／または前記梁用ダブル取付金物の被懸吊部は前記鉄骨梁のフランジを挟持するフランジ挟持金物と該鉄骨梁のフランジとの間で挟着されて間接的に該鉄骨梁のフランジから懸吊される、ことを特徴とする請求項１０または請求項１１に記載の被覆用軽量金属下地。
【発明の詳細な説明】
【技術分野】
【０００１】
本発明は耐火被覆用軽量金属下地に関し、より詳しくは、耐火被覆材の吹き付け用軽量金属下地や耐火被覆板貼り用軽量金属下地として使用できる下地金物に関する。
【背景技術】
【０００２】
従来から鉄骨柱・鉄骨梁の耐火性を高めるために、その表面を耐火材で被覆することが行われているが、耐火材で被覆する方法としては、耐火材を吹き付ける湿式方法や耐火板で囲繞する乾式方法がある。そして、いずれの方法であっても、多くの場合、居住空間においては、鉄骨柱・鉄骨梁の耐火材をさらに仕上げ材で被覆することが行われる。
【０００３】
湿式方法では、所定の耐火性能を確保するために吹き付けした耐火被覆層の厚さを確保することが重要となる。この耐火被覆層の厚さを確保する発明としては、特開平０７−３１０３７８号公報に開示のものがある。この発明は「鉄骨部材の耐火被覆構造であって、鉄骨部材の周囲に形成する耐火被覆層の厚さを確保することが容易であり、厚すぎる無駄な被覆層を形成することがなく、かつ吹き付け材料が床に落ちるのを防ぐことができて、全体として被覆層を整然と仕上げることができる耐火被覆構造を提供すること」を目的としていて、その目的を達成するために「鉄骨構造の建物を構成する鉄骨部材を耐火被覆する構造であって、クリップ付耐熱性網材をその鉄骨部材に取り付けて、その鉄骨部材の周囲に吹き付け材による耐火被覆層を形成することからなる鉄骨部材の耐火被覆構造である」構成としている。
【０００４】
また、乾式方法では、凹凸のある鉄骨柱・鉄骨梁の表面に撓みの少ない耐火被覆板を取り付けるために小さなピースに分割する場合が多くて施工能率が悪く、工期の短縮化を期待できないという課題があった。この課題を解決するための発明として、特開２００６−１６１２７７公報に開示のものがある。この発明は「溝形状のユニットに組み立て、Ｈ形鋼梁に向かって垂直に持ち上げて被せ、上下のフランジ側面部へ下地として取り付けた固定用金物へビス止めし固定する乾式耐火被覆ユニット工法を提供する」ことを目的としていて、その目的を達成するために「スラブの下面に露出したＨ形鋼梁の上側フランジの側面部に下向きの固定用金物を、同下側フランジの側面部には上向きの固定用金物を、それぞれ梁の材軸方向に間隔をあけて複数個取り付け、耐火被覆板を、Ｈ形鋼梁の横断面形状における上下のフランジ間のせいの高さと同等ないしそれよりも少し深くかつフランジの幅寸とほぼ等しい溝幅の溝形状ユニットに組み立て、耐火被覆板による溝形状ユニットを垂直上方へ持ち上げてＨ形鋼梁の両側面に沿って被せ、溝形状ユニットの上端がスラブの下面へ突き当たった状態で、その側壁部分を上下の固定用金物へビス止め等の手段で止着する」構成としている。
【０００５】
しかしながら、湿式方法においては、従来、軽量鉄骨で湿式耐火被覆材を囲繞し、その軽量鉄骨にボードを貼った上にクロスまたは塗装等の内装仕上材料を貼るようにしているが、軽量鉄骨の寸法は４０ｍｍ〜６５ｍｍであり、湿式耐火被覆材とのクリアランスおよびボード厚を考慮すると、湿式耐火被覆材と仕上げ面の距離は概ね７０ｍｍ〜１００ｍｍ程度となる。また、特開平０７−３１０３７８号公報に開示の発明では、耐火被覆層の厚さを確保することを目的としているため、湿式耐火被覆材と仕上げ面の距離を縮小するものではない。
そして、特開２００６−１６１２７７号公報に開示の発明では、鉄骨梁を対象とした乾式耐火被覆ユニット工法であり、鉄骨柱を対象としたものではなく、かつ、ユニット自体が重くなって人力では扱い難いという難点がある。
【０００６】
そのため、本願出願人は、湿式耐火被覆材と仕上げ面の距離を必要最低限にすることができ、要求される耐火被覆層の厚さを確実に確保することができる軽量金属下地金物を提供するとともに、この軽量金属下地金物を使用する鉄骨柱や鉄骨梁の耐火被覆工法を提供することを目的とした発明を出願した。当該発明は特開２０１０−５９７８０号公報に開示されていて、前述の目的を達成するために、「湿式耐火被覆材が吹付けられる鉄骨柱・梁の出隅部に並行して添設される出隅用アングル部材と、鉄骨柱・梁の入隅部に並行して添設される入隅用アングル部材と、この出隅用アングル部材・入隅用アングル部材間あるいは出隅用アングル部材間に架設される略平板状の繋ぎ部材と、これらを着脱自在に嵌着する嵌着部材あるいは挟着する挟着部材と、から構成される軽量金属下地金物を、鉄骨柱・梁周りに枠組みし、これらの部材を定規として湿式耐火被覆材を吹き付け、または、吹き付けられた湿式耐火被覆材に接してこれらの部材を枠組みしてボード貼り等の仕上げを行う。」こととしている。
【先行技術文献】
【特許文献】
【０００７】
【特許文献１】特開平０７−３１０３７８号公報
【特許文献２】特開２００６−１６１２７７号公報
【特許文献３】特開２０１０−５９７８０号公報
【発明の概要】
【発明が解決しようとする課題】
【０００８】
本発明が解決しようとする課題は、湿式方法にあっては、湿式耐火被覆材と仕上げ面の距離を必要最低限にすることができるとともに、要求される耐火被覆層の厚さを確実に確保することができる軽量金属下地を提供し、乾式方法にあっては、小さなピースに分割することなく耐火被覆板を取り付けることができる軽量金属下地を提供しつつ、従来よりも加工が容易で、取り付けもより簡便な軽量金属下地を提供することにある。
【課題を解決するための手段】
【０００９】
上記課題を達成するために、本願請求項１に係る耐火被覆用軽量金属下地は、耐火被覆材や耐火被覆板が取り付けられる鉄骨柱および／または鉄骨梁の隅部に並行して添設される略Ｌ字断面の金属製隅用アングル部材と、前記隅用アングル部材間に直交して架設される断面が略平板状の架け渡し部と該架け渡し部の両端または片端にあって該隅用アングル部材を把持して固定される固定部とからなる金属製架設部材と、からなり、前記架設部材の固定部は前記隅用アングル部材のアングル面の外側を囲繞する固定部本体と該固定部本体の両縁部または片縁部にあって該隅用アングル部材のアングル面の外側に該固定部本体が押し当てられた後に手で折り曲げられて該隅用アングル部材のアングル面の側縁であるアングル鍔部を把持する把持子とを具え、該固定部本体は延伸して該架設部材の架け渡し部に連設される、ことを特徴としている。
なお、使用される金属としては、建築工事で使用されるいわゆる軽鉄と称される板厚が０．３ｍｍないし０．６ｍｍ程度の薄板の亜鉛メッキ鋼板であることが好ましい。また、「内側」および「外側」とは、湿式耐火被覆用軽量金属下地金物を鉄骨柱および／または鉄骨梁に囲繞するように組み立てたときに、鉄骨柱および／または鉄骨梁に対向する側を「内側」といい、その反対側を「外側」ということとする。
また、本願請求項２に係る耐火被覆用軽量金属下地は、請求項１に記載の耐火被覆用軽量金属下地であって、前記架設部材の架け渡し部には雌型架け渡し部と雄型架け渡し部があり、前記雌型架け渡し部はその長さ方向に沿った両側縁が略直角以下に内側に折り曲げられる一方、前記雄型架け渡し部は平板状であって、該雌型架け渡し部に該雄型架け渡し部が挿入されて摺動することにより、該架け渡し部の長さが調整可能である、ことを特徴としている。
そして、本願請求項３に係る耐火被覆用軽量金属下地は、請求項１または請求項２に記載の耐火被覆用軽量金属下地であって、前記隅用アングル部材のアングル鍔部はアングル面との挟角が９０°以下となるように内側に折り曲げられてアングル鍔曲折部が形成され、該隅用アングル部材は所定の長さを有する第１の隅用アングル部材と該第１の隅用アングル部材と断面が相似形の所定の長さを有する第２の隅用アングル部材と、からなり、前記第２の隅用アングル部材は前記第１の隅用アングル部材に挿入されて摺動することにより前記隅用アングル部材の全長が調整可能である、ことを特徴としている。
さらに、本願請求項４に係る耐火被覆用軽量金属下地は、請求項２を引用する請求項３に記載の耐火被覆用軽量金属下地であり、鉄骨柱と壁とが取り合う隅部に使用する前記隅用アングル部材のアングル鍔部は該壁に接する側のアングル鍔曲折部が不形成であって、前記雌型架け渡し部および／または前記雄型架け渡し部が形成される一方の側とは異なる他方の側が前記固定部本体から平板状に延伸して該延伸部分が前記壁と前記隅用アングル部材との間に挟持されて前記架設部材が固定される、ことを特徴としている。
また、本願請求項５に係る耐火被覆用軽量金属下地は、請求項２を引用する請求項３に記載の耐火被覆用軽量金属下地であって、鉄骨柱と壁とが取り合う隅部には略Ｌ字断面の軽量の壁固定アングルが該壁に固着され、該壁に固着される該壁固定アングルの一方のアングル面とは異なる他方のアングル面が平板状に延伸して前記雌型架け渡し部に挿入されて前記架設部材が固定される、ことを特徴としている。
そして、本願請求項６に係る耐火被覆用軽量金属下地は、請求項５に記載の耐火被覆用軽量金属下地であり、前記雌型架け渡し部の長さ方向に沿った両側縁の折り曲げられた挟角は略４５°であって、該雌型架け渡し部に挿入される前記雄型架け渡し部および前記壁固定アングルの他方の側の長さ方向に沿った両側縁は挟角が鈍角となるように内側に折り曲げられて両側縁を除く平板状の部分が該雌型架け渡し部の平板状の部分に重ね合わされる、ことを特徴としている。
さらに、本願請求項７に係る耐火被覆用軽量金属下地は、請求項１ないし請求項６のいずれかに記載の耐火被覆用軽量金属下地であって、鉄骨柱に対する耐火被覆材の被り厚が確保され得る位置に合わせて、または鉄骨柱面の凸部よりも外側の位置に合わせて固定された略Ｌ字断面の足元固定アングルと前記隅用アングル部材とは、該隅用アングル部材のアングル面を囲繞して上下方向に摺動する隅用アングル・足元固定アングル挟持金物により挟持されて固定される、ことを特徴としている。
また、本願請求項８に係る耐火被覆用軽量金属下地は、請求項１ないし請求項７のいずれかに記載の耐火被覆用軽量金属下地であって、Ｌ字断面の金属製頂部アングル部材が鉄骨柱の隅部に添設される前記隅用アングル部材間の頂部に架設されて掛着され、該頂部アングル部材の一方のアングル面は該隅用アングル部材のアングル面に重ね合わされ、該頂部アングル部材の他方のアングル面は上部に位置して鉄骨梁の隅部に添設される前記隅用アングル部材が載置され、前記頂部アングル部材は鉄骨柱方向に出入する出入子を具え該出入子により鉄骨柱との離間距離が調整可能である、ことを特徴としている。
そして、本願請求項９に係る耐火被覆用軽量金属下地は、請求項８に記載の耐火被覆用軽量金属下地であって、前記掛着は前記頂部アングル部材の両端部近傍に位置する掛着子と該頂部アングル部材のアングル面とで前記隅用アングル部材のアングル面を挟持することにより行われ、前記出入子は前記頂部アングル部材の他方のアングル面上に凸設された出入子貫入孔に掴持されて固定される、ことを特徴としている。
さらに、本願請求項１０に係る耐火被覆用軽量金属下地は、請求項１ないし請求項９のいずれかに記載の耐火被覆用軽量金属下地であって、Ｈ形断面の鉄骨梁の隅部に添設される前記隅用アングル部材は該鉄骨梁のフランジから直接的または間接的に懸吊される梁用取付金物により支持され、該梁用取付金物は該フランジから懸吊されて下方に延伸する被懸吊部と該被懸吊部の延伸先に接続し該隅用アングル部材を固定する固定部とからなり、該固定部は該隅用アングル部材のアングル面の外側を囲繞する固定部本体と該固定部本体の両縁部または片縁部にあって折り曲げられて該隅用アングル部材のアングル面の側縁であるアングル鍔部を把持する把持子を具え、前記Ｈ形断面の鉄骨梁の継ぎ手部分には前記梁用取付金物の固定部が上下に連接された梁用ダブル取付金物が該Ｈ形断面の鉄骨梁のフランジから直接的または間接的に懸吊され、該梁用ダブル取付金物により２本の前記隅用アングル部材が側面から見て段違いに支持されている、ことを特徴としている。
そして、本願請求項１１に係る耐火被覆用軽量金属下地は、請求項１０に記載の耐火被覆用軽量金属下地であって、前記梁用ダブル取付金物の下部に位置する垂直方向の固定部の把持子はその両縁部が予め下方が開放されたレの字形に切り欠きされ略直角に内側に折り曲げられて隅用アングル部材のアングル鍔部を把持する、ことを特徴としている。
さらに、本願請求項１２に係る耐火被覆用軽量金属下地は、請求項１０または請求項１１に記載の被覆用軽量金属下地であって、前記梁用取付金物の被懸吊部および／または前記梁用ダブル取付金物の被懸吊部は前記鉄骨梁のフランジを挟持するフランジ挟持金物と該鉄骨梁のフランジとの間で挟着されて間接的に該鉄骨梁のフランジから懸吊される、ことを特徴としている。
【発明の効果】
【００１０】
本発明は上記の構成により以下の効果を奏する。
（１）本発明に係る耐火被覆用軽量金属下地は、隅用アングル部材を耐火被覆用軽量金属下地に作用する応力を負担する主部材とし、架設部材を隅用アングル部材に作用する応力を分担する副部材としていて、主部材である隅用アングル部材は剛性が高く、特にアングル鍔曲折部を設けた場合には捻れに対する剛性も高くなって、隅用アングル部材と架設部材とを一体化することにより全体として剛性がより高い枠体となる。
（２）隅用アングル部材と架設部材は、架設部材の固定部の把持子を手で折り曲げることにより簡単に固定することができる。また、隅用アングル部材と架設部材は、いずれも型抜きした平板を折り曲げることにより簡単に製造することができる。
（３）架設部材の架け渡し部を雌型架け渡し部と雄型架け渡し部の２種類とした場合には、雌型架け渡し部に雄型架け渡し部を摺動自在に挿入することにより隅用アングル部材間の間隔に応じて架設部材の長さを自在に調整することができる。
（４）隅用アングル部材を第１の隅用アングル部材と第２の隅用アングル部材とから構成した場合には、隅用アングル部材を切断し、あるいは継ぎ足すことなくその長さを自在に調整することができる。
（５）雌型架け渡し部の長さ方向に沿って折り曲げられた両側縁の挟角を略４５°とし、雌型架け渡し部に挿入される雄型架け渡し部および固定用アングル片の他方の側の長さ方向に沿った両側縁を挟角が鈍角となるように内側に折り曲げ、雌型架け渡し部に雄型架け渡し部および固定用アングル片の他方の側を挿入すると、それらは互いにガタつくことなく確りと保持される。
（６）足元固定アングルと隅用アングル部材とは、隅用アングル部材に沿って摺動する隅用アングル部材・足元固定アングル挟持金物により挟持されるので、極めて容易に隅用アングル部材を所定の位置に固定することができる。
（７）頂部アングル部材の出入子により隅用アングル部材の垂直性が容易に確保できるので、鉄骨柱に対する耐火被覆厚さの確保や取り付ける耐火被覆板の垂直性の確保、さらには仕上げ面の垂直性も容易に確保できる。
（８）梁用取付金物により、鉄骨梁の隅部に添設される隅用アングル部材のたるみが防止でき、鉄骨梁に対する所定の耐火被覆厚さの確保や鉄骨梁に対する耐火被覆板の取り付けが容易となる。また、梁用ダブル取付金物により、鉄骨梁の継ぎ手部分についても耐火被覆厚さの確保や鉄骨梁の継ぎ手部分に対する耐火被覆板の取り付けが容易となる。
【図面の簡単な説明】
【００１１】
【図１】実施例１に係る湿式耐火被覆用軽量金属下地を使用した鉄骨柱部分の平断面図である。
【図２】図1における軽量金属下地のＡ部詳細図である。
【図３】図２における軽量金属下地のＢ部側面図、および各部矢視図である。
【図４】実施例１に係る湿式耐火被覆用軽量金属下地を使用した鉄骨梁部分の側面図である。
【図５】図４における軽量金属下地のＣ部詳細図、および各部矢視図である。
【図６】図４における軽量金属下地のＤ部詳細図、および各部矢視図である。
【図７】梁用取付金物の他の実施例に係る各詳細図である。
【図８】実施例１に係る第１の隅用アングル部材および第２の隅用アングル部材の組み立て斜視図である。
【図９】実施例１に係る架設部材の部分斜視図である。
【図１０】実施例２に係る乾式耐火被覆用軽量金属下地を使用した鉄骨柱部分の平断面図である。
【発明を実施するための形態】
【００１２】
本発明を実施するための形態に係る実施例１および実施例２について、図１ないし図１０に基づいて説明する。
【００１３】
図１ないし図１０において、符号１０は隅用アングル部材、符号１０ａは第１の隅用アングル部材、符号１０ｂは第２の隅用アングル部材、符号１１はアングル鍔曲折部、符号２０は架設部材、符号２１は架け渡し部、符号２１ａは雌型架け渡し部、符号２１ｂは雄型架け渡し部、符号２３は固定部、符号２３１は固定部本体、符号２３３は把持子、符号３１は壁固定アングル、符号３３は足元固定アングル、符号３５は隅用アングル・足元固定アングル挟持金物、符号３５１はアングル鍔曲折部、符号３５３はスリット、符号４０は頂部アングル部材、符号４１は掛着子、符号４３は出入子、符号４５は出入子貫入孔、符号４７は切り欠き部、符号４９は出入子抜出防止子、符号５０ａは梁用取付金物、符号５０ｂは梁用ダブル取付金物、符号５１は被懸吊部、符号５３は固定部、符号５３１は固定部本体、符号５３３は把持子、符号５５はフランジ挟持金物、符号６３はボックス型鉄骨柱、符号６５はＨ形鉄骨梁、符号６５１は鉄骨梁フランジ、符号６７は鉄骨梁継ぎ手部、符号６９は壁、符号７１は床スラブ、符号７３は湿式耐火被覆材、符号７５は乾式耐火被覆板、符号７７は仕上げ用ボード、である。
【実施例１】
【００１４】
〔鉄骨柱の湿式耐火被覆用軽量金属下地の構成〕
まず、実施例１に係る鉄骨柱の湿式耐火被覆用軽量金属下地の構成について、主に、図１ないし図３、図８、図９を基に説明する。
【００１５】
鉄骨柱に使用される湿式耐火被覆用軽量金属下地は、隅用アングル部材１０と、架設部材２０と、壁固定アングル３１と、足元固定アングル３３と、隅用アングル・足元固定アングル挟持金物３５と、頂部アングル部材４０と、から構成されている。そして、隅用アングル部材１０はボックス型鉄骨柱６３の出隅近傍に添設されていて、その足元は隅用アングル・足元固定アングル挟持金物３５を介して床スラブ７１の床面に固定される足元固定アングル３３に固着され、その頂部には水平方向に頂部アングル部材４０が取着されている。また、互いに隣接する隅用アングル部材１０同士の間あるいは隅用アングル部材１０と壁６９の表面に固着された壁固定アングル３１との間には水平方向に複数段の架設部材２０が架け渡されている。
【００１６】
隅用アングル部材１０は断面がＬ字のアングルであって、２つのＬ字を形成する面（アングル面）の側縁が略４５°の挟角となるようにアングル面の挟角９０°側（内側）に折り曲げられて、折り曲げられた部分がアングル鍔曲折部１１となっている。そして、隅用アングル部材１０には、互いに断面が相似形の第１の隅用アングル部材１０ａと第２の隅用アングル部材１０ｂとがあり、第２の隅用アングル部材１０ｂが第１の隅用アングル部材１０ａに挿入されて摺動することにより隅用アングル部材１０の全長が調整可能となっている。
【００１７】
架設部材２０は、架け渡し部２１と、架け渡し部２１の端部に位置する固定部２３とから構成されていて、略平板状の架け渡し部２１には、その長さ方向に沿った両側縁が内側に折り曲げられてその挟角が鋭角となっている雌型架け渡し部２１ａとその挟角が鈍角となっている雄型架け渡し部２１ｂがあり、雌型架け渡し部２１ａに雄型架け渡し部２１ｂが挿入できるようになっている。また、固定部２３は断面がＬ字のアングル状であって、隅用アングル部材１０のアングル面の外側を囲繞する固定部本体２３１と、固定部本体２３１の両縁部にあって内側に折り曲げられて隅用アングル部材１０のアングル鍔曲折部１１を把持する把持子２３３と、から構成されている。そして、固定部本体２３１のアングル面の内、一対の把持子２３３を除く中間部分が延伸して架け渡し部２１に連設されている。なお、実施例における架設部材２０は、固定部本体２３１の２つのアングル面のそれぞれに雌型架け渡し部２１ａおよび雄型架け渡し部２１ｂが連設されているが、雌型架け渡し部２１ａのみ、あるいは雄型架け渡し部２１ｂのみが連設されていても良く、さらには、固定部本体２３１の２つのアングル面のそれぞれに雌型架け渡し部２１ａ、あるいは雄型架け渡し部２１ｂを連設するようにしても良い。
【００１８】
壁固定アングル３１は断面がＬ字のアングルであって、一方のアングル面は壁６９に糊着や鋲着等で固定され、他方のアングル面は延伸し、その長さ方向に沿って両側縁が内側にその挟角が鈍角となるように折り曲げられていて、雌型架け渡し部２１ａに挿入できるようになっている。したがって、架設部材２０の取り付けの位置と壁固定アングル３１の取り付けの位置とは同一高さとする必要がある。なお、壁固定アングル３１の代わりに、隅用アングル部材１０を壁６９に固定するようにしても良く、あるいは隅用アングル部材１０の一方のアングル面の側縁であるアングル鍔部のみがアングル鍔曲折部１１を具えるようにして、アングル鍔曲折部１１が不形成のアングル面を壁６９に固定するようにしても良い。この場合、隅用アングル部材１０に取り付ける架設部材２０については、固定部本体２３１の一方にのみ架け渡し部２１を連設して、他方を壁６９と隅用アングル部材１０との間に挿入するようにしても良い。
【００１９】
足元固定アングル３３は断面がＬ字のアングルであって、床スラブ７１の床面の所定の位置に糊着や鋲着等で固定されるが、床面に接するアングル面の向きは鉄骨柱に対して外向きであっても内向きであっても良く、図３では外向きとなっている。
隅用アングル・足元固定アングル挟持金物３５は隅用アングル部材１０を一回り大きくした断面形状を呈していて、隅用アングル部材１０の２つのアングル面とアングル鍔曲折部１１とを囲繞して上下方向に摺動する。そして、隅用アングル・足元固定アングル挟持金物３５のアングル鍔曲折部３５１に切り込まれたスリット３５３が隅用アングル部材１０のアングル面と足元固定アングル３３のアングル面とを挟持するようになっている。
【００２０】
隅用アングル部材１０間の頂部に架設される頂部アングル部材４０は、断面がＬ字のアングルであって、一方のアングル面は隅用アングル部材１０のアングル面に接し、他方のアングル面は上部に位置するようになっている。そして、隅用アングル部材１０の一方のアングル面の両端には垂直方向に切り込みが入れられて掛着子４１が形成され、掛着子４１と一方のアングル面とが隅用アングル部材１０のアングル面を挟持することにより、隅用アングル部材１０と頂部アングル部材４０が掛着される。さらに、頂部アングル部材４０の上部に位置するアングル面上には、複数の出入子貫入孔４５が凸設されていて、この出入子貫入孔４５に出入子４３がボックス型鉄骨柱６３方向に向けて出入自在に挿入されている。この出入子４３は細長い平板状を呈していて、長さ方向に曲げ剛性を大きくするための溝が凸設され、出入子４３の一端がボックス型鉄骨柱６３に当接してボックス型鉄骨柱６３と隅用アングル部材１０との所定の離間距離を保持するようになっている。
なお、実施例では頂部アングル部材４０の上部に位置するアングル面には平面から見てＬ字状の切り欠き部４７が設けられて出入子抜出防止子４９が形成されている。この出入子抜出防止子４９は、頂部アングル部材４０の上部に位置するアングル面に他端を折り曲げることにより固定した出入子４３が抜け出すことを防止する役割を担っている。
【００２１】
〔鉄骨柱の湿式耐火被覆用軽量金属下地の組み立て〕
つぎに、ボックス型鉄骨柱６３周りの湿式耐火被覆用軽量金属下地金物の組み立て手順例を以下に説明する。
【００２２】
（１）所定の耐火被覆厚さが確保できる隅用アングル部材１０の位置となるように、足元固定アングル３３を床面に固着する。この固着は、糊着、鋲着および螺着等の周知の手段によることができる。
（２）隅用アングル部材１０に隅用アングル・足元固定アングル挟持金物３５を外嵌めし、足元固定アングル３３のアングル面に隅用アングル部材１０のアングル面を密着させて隅用アングル・足元固定アングル挟持金物３５を下方に摺動させ、スリット３５３が隅用アングル部材１０のアングル面と足元固定アングル３３のアングル面とを挟持するようにする。これにより隅用アングル部材１０の足元は所定の位置に固定される。なお、隅用アングル部材１０に第１の隅用アングル部材１０ａと第２の隅用アングル部材１０ｂを使用する場合には、前以て隅用アングル部材１０の全長を調整して第１の隅用アングル部材１０ａと第２の隅用アングル部材１０ｂとを固定し、第２の隅用アングル部材１０ｂが下に位置するようにする。そして、第２の隅用アングル部材１０ｂに隅用アングル・足元固定アングル挟持金物３５を外嵌めすれば、第１の隅用アングル部材１０ａと隅用アングル・足元固定アングル挟持金物３５の断面形状は略同一になる。また、第１の隅用アングル部材１０ａと第２の隅用アングル部材１０ｂの固定方法としては、糊着、鋲着および螺着でも構わないが、重ね合わされた第１の隅用アングル部材１０ａのアングル鍔曲折部１１と第２の隅用アングル部材１０ｂのアングル鍔曲折部１１とを外側から押圧してかしめると簡単に固定できる。
（３）隅用アングル部材１０の頂部間に頂部アングル部材４０を架け渡して掛着させる。一方が壁面である場合には壁固定アングル３１を壁６９の面に固着して、この壁固定アングル３１に掛着させるようにすると良い。そして、頂部アングル部材４０の出入子４３の一端をボックス型鉄骨柱６３に当接させて、隅用アングル部材１０の垂直性を確保する。
（４）隅用アングル部材１０間、あるいは予め壁６９の面に固着した壁固定アングル３１と隅用アングル部材１０間に所定の間隔となるように複数の架設部材２０を架け渡し、架設部材２０の固定部２３の把持子２３３を手で折り曲げて固定する。必要に応じて、重ね合わせて固定した架設部材２０の把持子２３３と隅用アングル部材１０のアングル鍔曲折部１１とを外側から押圧してかしめるようにしても良い。
【００２３】
以上の手順により、ボックス型鉄骨柱６３周りに湿式耐火被覆用軽量金属下地金物が組み立てられるが、足元固定アングル３１の床面への固着以外の取り付けは、手によりワンタッチで行われるため、特別な道具を必要としないばかりか、極めて短時間に組み立てることができる。
【００２４】
〔鉄骨梁の湿式耐火被覆用軽量金属下地の構成〕
つぎに、実施例１に係る鉄骨梁の湿式耐火被覆用軽量金属下地の構成について、主に、図４ないし図７を基に説明する。
鉄骨梁に使用される湿式耐火被覆用軽量金属下地は、隅用アングル部材１０と、架設部材２０と、梁用取付金物５０ａと、梁用ダブル取付金物５０ｂと、から構成されている。そして、隅用アングル部材１０はＨ形鉄骨梁６５の出隅近傍に添設されていて、その端部は頂部アングル部材４０上に載置され、その中間部は梁用取付金物５０ａおよび梁用ダブル取付金物５０ｂを介して鉄骨梁フランジ６５１から吊り下げられている。
【００２５】
隅用アングル部材１０については、「鉄骨梁の湿式耐火被覆用軽量金属下地の構成」で説明したのでその説明を省略する。
架設部材２０は、架け渡し部２１と、架け渡し部２１の両端部に位置する固定部２３とから構成されていて、この架け渡し部２１には剛性の高い雌型架け渡し部２１ａが使用されている。なお、実施例では、架け渡し部２１の両端部に固定部２３を具える架設部材２０を使用しているが、「鉄骨梁の湿式耐火被覆用軽量金属下地の構成」で説明した片端部に固定部２３を具える雌型架け渡し部２１ａと、片端部に固定部２３を具える雄型架け渡し部２１ｂとを組み合わせて使用することもできる。架け渡し部２１および固定部２３の形状は「鉄骨梁の湿式耐火被覆用軽量金属下地の構成」で説明したのでその説明を省略する。
【００２６】
梁用取付金物５０ａは鉄骨梁フランジ６５１から懸吊される先端部がＬ字に曲折された被懸吊部５１と、被懸吊部５１が下方に延伸するその延伸先に接続し隅用アングル部材１０を固定する断面がＬ字のアングル状の固定部５３とからなり、さらに、固定部５３は隅用アングル部材１０のアングル面の外側を囲繞する固定部本体５３１と固定部本体５３１の両縁部にあって折り曲げられて隅用アングル部材１０のアングル鍔部を把持する把持子５３３を具えている。なお、実施例では、設備配管の吊り下げに使用される既製のフランジ挟持金物５５を使用していて、図６に示すように、鉄骨梁フランジ６５１の上面と側面を囲繞するＬ字状の被懸吊部５１の先端部がフランジ挟持金物５５により挟持されることにより、梁用取付金物５０ａが鉄骨梁フランジ６５１から確りと懸吊されるようになっている。
なお、図７に示すように、被懸吊部５１の先端部の形状を側面から見て直線状とし正面から見てＴ字状として、鉄骨梁フランジ６５１の側面に被懸吊部５１の先端部を当接させ、被懸吊部５１の先端部をフランジ挟持金物５５で挟持するとともに、Ｔ字状の両脇部分がフランジ挟持金物５５に支持されるようにして、梁用取付金物５０ａが間接的に鉄骨梁フランジ６５１から懸吊されるようにしても良い。そして、Ｔ字状の両脇部分は鉄骨梁フランジ６５１側に僅かに折り曲げられていて、被懸吊部５１の先端部をフランジ挟持金物５５で挟持したときには、フランジ挟持金物５５に被懸吊部５１の先端部が密着するようになっている。
また、フランジ挟持金物５５と被懸吊部５１とを一体として被懸吊部とし、この被懸吊部を鉄骨梁フランジ６５１に挟着させて直接的に鉄骨梁フランジ６５１から懸吊されるようにしても良いことは勿論である。
【００２７】
梁用ダブル取付金物５０ｂは、梁用取付金物５０ａの固定部５３が上下に連なった形状であって鉄骨梁継ぎ手部６７近傍に使用される。梁用ダブル取付金物５０ｂもまた、鉄骨梁フランジ６５１から懸吊される被懸吊部５１と、被懸吊部５１が下方に延伸するその延伸先に接続し隅用アングル部材を固定する断面がＬ字のアングル状の上部の固定部５３と、その固定部５３の垂直方向のアングル面が延伸してその延伸先に接続される下部の固定部５３と、からなっている。上部の固定部５３は前述した梁用取付金物５０ａと同一仕様であるが、下部の固定部５３の上部に位置する把持子５３３は下方が開放されたレの字形に予め切り欠きされてアングル面に対して直角方向に折り曲げられていて、このレの字形の切り欠き部分により隅用アングル部材１０のアングル鍔部を把持するようになっている。そして、梁用ダブル取付金物５０ｂの下部の固定部５３により取り付けられた隅用アングル部材１０により、鉄骨梁継ぎ手部６７に使用される継ぎ手ボルトに対する所定の湿式耐火被覆厚が確保できるようになる。
【００２８】
〔鉄骨梁の湿式耐火被覆用軽量金属下地の組み立て〕
つぎに、Ｈ形鉄骨梁６５の下部周りの湿式耐火被覆用軽量金属下地金物の組み立て手順例を以下に説明する。
【００２９】
（１）所定の間隔で梁用取付金物５０ａを鉄骨梁フランジ６５１から吊り下げ、さらに、梁用ダブル取付金物５０ｂを鉄骨梁継ぎ手部６７近傍の鉄骨梁フランジ６５１から吊り下げる。
（２）梁用取付金物５０ａおよび梁用ダブル取付金物５０ｂのアングル状の固定部５３に隅用アングル部材１０を内嵌めし、下部の固定部５３の上部に位置する把持子５３３以外の把持子２３３を手で折り曲げて隅用アングル部材１０を固定する。したがって、梁用ダブル取付金物５０ｂでは隅用アングル部材１０が上下２段となる。必要に応じて、重ね合わせて固定した梁用取付金物５０ａと梁用ダブル取付金物５０ｂの把持子５３３と隅用アングル部材１０のアングル鍔曲折部１１とを外側から押圧してかしめるようにしても良い。
（３）隅用アングル部材１０間に所定の間隔となるように複数の架設部材２０を架け渡し、架設部材２０の固定部２３の把持子２３３を手で折り曲げて固定する。必要に応じて、重ね合わせて固定した架設部材２０の把持子２３３と隅用アングル部材１０のアングル鍔曲折部１１とを外側から押圧してかしめるようにしても良い。
【００３０】
以上の手順により、Ｈ形鉄骨梁６５の下部周りに湿式耐火被覆用軽量金属下地金物が組み立てられるが、この組み立ては手によるワンタッチで行われるため、特別な道具を必要としないばかりか、極めて短時間で組み立てることができる。
【００３１】
〔鉄骨柱および鉄骨梁の湿式耐火被覆工法〕
つぎに、本発明に係る耐火被覆用軽量金属下地を使用した鉄骨柱および鉄骨梁の湿式耐火被覆工法の手順例を以下に説明する。なお、この湿式耐火被覆工法は、主にボックス型鉄骨柱またはＨ型鉄骨梁を対象としているが、ここでは、ボックス型鉄骨柱６３を対象とした場合について説明する。
【００３２】
（１）前述した「鉄骨柱の湿式耐火被覆用軽量金属下地の組み立て」によりボックス型鉄骨柱６３周りに湿式耐火被覆用軽量金属下地を組み立てる。
（２）湿式耐火被覆材７３をボックス型鉄骨柱６３の外周面に吹付けし、湿式耐火被覆材７３が所定の密度となるように木ごて等でその表面を押圧して、湿式耐火被覆材７３の表面が隅用アングル部材１０や架設部材２０の架け渡し部２１の外面と面一となるようにする。なお、湿式耐火被覆材７３の表面が隅用アングル部材１０や架設部材２０の架け渡し部２１の外面よりも突出している場合は、その表面を掻き落とす。
（３）仕上ボード７７を隅用アングル部材１０や架設部材２０の架け渡し部２１にタッピングビス等で螺着する。さらに、必要に応じて、仕上ボード７７の表面にクロス（図示外）を貼る。
以上の手順により、ボックス型鉄骨柱６３に耐火被覆工事が施工されて、ボックス型鉄骨柱６３周りの仕上げが行われる。
【実施例２】
【００３３】
〔鉄骨柱／鉄骨梁の乾式耐火被覆用軽量金属下地の構成および組み立て〕
つぎに、実施例２に係る鉄骨柱／鉄骨梁の乾式耐火被覆用軽量金属下地の構成および組み立てについて説明するが、鉄骨柱／鉄骨梁の乾式耐火被覆用軽量金属下地の構成は、前述した湿式耐火被覆用軽量金属下地の構成と同一であるのでその説明を省略する。
また、鉄骨柱／鉄骨梁の乾式耐火被覆用軽量金属下地の組み立てについては、前述した湿式耐火被覆用軽量金属下地の組み立てと略同一であるが、異なるところは、湿式耐火被覆用軽量金属下地が鉄骨柱および鉄骨梁に対する所定の耐火被覆厚を確保し得る位置に組み立てるのに対して、乾式耐火被覆用軽量金属下地が撓みの少ない乾式耐火被覆板７５を取り付けことができるような鉄骨柱面または鉄骨梁面の凸部よりも外側の位置に組み立てることにある。それ以外は、前述した湿式耐火被覆用軽量金属下地の組み立てと同一であるのでその説明を省略する。
【００３４】
〔鉄骨柱および鉄骨梁の乾式耐火被覆工法〕
本発明に係る耐火被覆用軽量金属下地を使用した乾式耐火被覆工法については、主に図９を基に、鉄骨柱について説明する。
（１）ボックス型鉄骨柱６３周りに乾式耐火被覆用軽量金属下地を組み立てる。前述したように、この際、隅用アングル部材１０は、撓みの少ない乾式耐火被覆板７５を取り付けことができるように鉄骨柱面の凸部よりも外側の位置とする。
（２）乾式耐火被覆板７５を隅用アングル部材１０や架設部材２０の架け渡し部２１にタッピングビス等で螺着する。さらに、必要に応じて、乾式耐火被覆板７５の表面にクロス等の仕上げ材（図示外）を貼ったり塗装したりする。なお、多くの場合、乾式耐火被覆板７５には所定厚のケイ酸カルシウム板が使用される。
以上の手順により、ボックス型鉄骨柱６３に耐火被覆工事が施工されて、ボックス型鉄骨柱６３周りの仕上げが行われる。
【符号の説明】
【００３５】
１０  実施例に係る隅用アングル部材
１０ａ  第１の隅用アングル部材
１０ｂ  第２の隅用アングル部材
１１  アングル鍔曲折部
２０  実施例に係る架設部材
２１  架け渡し部
２１ａ  雌型架け渡し部
２１ｂ  雄型架け渡し部
２３  固定部
２３１  固定部本体
２３３  把持子
３１  壁固定アングル
３３  足元固定アングル
３５  隅用アングル・足元固定アングル挟持金物
４０  頂部アングル部材
４１  掛着子
４３  出入子
４５  出入子貫入孔
５０ａ  梁用取付金物
５０ｂ  梁用ダブル取付金物
５１  被懸吊部
５３  固定部 
５３１  固定部本体
５３３  把持子
５５  フランジ挟持金物
【図１】
0005769296.tif 000002
【図２】
0005769296.tif 000003
【図３】
0005769296.tif 000004
【図４】
0005769296.tif 000005
【図５】
0005769296.tif 000006
【図６】
0005769296.tif 000007
【図７】
0005769296.tif 000008
【図８】
0005769296.tif 000009
【図９】
0005769296.tif 000010
【図１０】
0005769296.tif 000011